(57)【要約】【課題】装置内にフォントデータを格納していない文字フォントであっても、ディスプレイなどの表示画面に地図表示することができるナビゲーション装置を提供すること。【解決手段】入力部１より入力された表示言語を選択する表示言語選択部２と、表示言語選択部２で選択した表示言語に対応するフォントデータの取得要求を外部のフォントデータベース２９に送信するフォントデータ要求送信部３と、外部のフォントデータベース２９から取得したフォントデータを受信するフォントデータ受信部６と、受信したフォントデータを記憶するフォントデータ記憶部８と、現在位置を検出する位置検出部２０と、地図データベース１４と、表示情報を作成する表示情報作成部１６とを備え、フォントデータ記憶部８に格納していないフォントデータを外部のフォントデータベース２９から取得して、使用者が希望する表示言語で表示部２２に地図表示ができる。【選択図】図１
2006058347.tif 000002
【特許請求の範囲】
【請求項１】
表示面に表示する所望のフォント情報を入力する入力手段と、前記入力手段で入力した前記フォント情報に関するフォントデータの取得要求を外部のフォントデータ供給手段に送信するフォントデータ要求送信手段と、前記外部のフォントデータ供給手段から送信される前記取得要求した前記フォントデータを受信するフォントデータ受信手段と、前記受信したフォントデータを記憶するフォントデータ記憶手段とを備えたことを特徴とするナビゲーション装置。
【請求項２】
前記入力手段が、前記表示面に表示したい表示言語を選択する表示言語選択手段を有し、前記フォントデータ要求送信手段が、前記表示言語選択手段で選択された表示言語に対応するフォントデータの取得要求を外部のフォントデータ供給手段に送信することを特徴とする請求項１記載のナビゲーション装置。
【請求項３】
前記フォントデータ要求送信手段は、地図表示を行なうのに必要な前記フォントデータが前記フォントデータ記憶手段に格納されていない場合に、前記必要なフォントデータの取得要求を行なうことを特徴とする請求項１記載のナビゲーション装置。
【請求項４】
現在位置を検出する位置検出手段をさらに備え、前記表示言語選択手段は、前記位置検出手段で検出した前記現在位置の情報に基づいて前記表示言語を選択することを特徴とする請求項２記載のナビゲーション装置。
【発明の詳細な説明】
【技術分野】
【０００１】
本発明は、地図表示に必要な文字フォントデータを外部から入手するナビゲーション装置に関するものである。
【背景技術】
【０００２】
一般にナビゲーション装置は、複数のＧＰＳ衛星からの電波を受信するＧＰＳ受信機や、方位センサ、車速センサなどからなる自律航法センサなどにより自車の現在位置を測位し、ディスプレイなどの表示画面に自車の現在位置や現在位置周辺の地図を表示するようになっている。ディスプレイなどの表示画面に表示される地図は、大容量のデータを記憶する記憶装置や記憶媒体より読み出されたものであり、道路情報や通行規制などの交通情報および代表的な建物や施設などの地点情報が一般的に含まれている。
【０００３】
従来のナビゲーション装置には、現在地から使用者が希望する目的地までの誘導経路を作成し、交差点などの拡大表示や案内音声を出力することにより使用者を目的地まで誘導する経路誘導機能が搭載されている。
【０００４】
この場合、ディスプレイなどの表示画面に表示される地図の文字フォントは、ナビゲーション装置内の記憶手段に格納されている漢字フォントや片仮名フォントおよびアルファベットフォントから、使用者が希望する文字フォントを選択していずれかを表示していた（例えば,特許文献１参照）。
【特許文献１】特開平９−１６０７５号公報
【発明の開示】
【発明が解決しようとする課題】
【０００５】
しかしながら、従来のナビゲーション装置では、装置内に格納されているフォントデータの種類はワープロなどで使用されているフォントデータほども多くなく、また他国や他地域のフォントデータも含まれておらず、したがってこれらのナビゲーション装置にフォントデータを格納していない文字フォントは、ディスプレイなどの表示画面に表示される地図にその文字フォントを表示することができないという問題があった。
【０００６】
これを解決するためには、ほとんどの種類のフォントデータや、ナビゲーション装置が使用される全ての国や地域の言語のフォントデータをナビゲーション装置内に格納する必要があるが、そのためには膨大な容量のフォント用メモリが必要となり現実的には極めて困難であるという課題を有していた。
【０００７】
本発明は、従来の課題を解決するためになされたもので、ほとんどの種類のフォントデータやナビゲーション装置が使用される国や地域の言語または使用者の理解できる言語に応じたフォントデータをナビゲーション装置内に格納していない場合は、外部から必要なフォントデータを入手し、入手したフォントデータを使用してディスプレイなどの表示画面に表示される地図に文字フォントを表示することができるナビゲーション装置を提供することを目的とする。
【課題を解決するための手段】
【０００８】
本発明のナビゲーション装置は、表示面に表示する所望のフォント情報を入力する入力手段と、前記入力手段で入力した前記フォント情報に関するフォントデータの取得要求を外部のフォントデータ供給手段に送信するフォントデータ要求送信手段と、前記外部のフォントデータ供給手段から送信される前記取得要求した前記フォントデータを受信するフ
ォントデータ受信手段と、前記受信したフォントデータを記憶するフォントデータ記憶手段とを備えた構成を有している。
【０００９】
この構成により、使用者が入力手段で入力した、表示面に表示する所望のフォント情報に関するフォントデータを外部のフォントデータ供給手段からナビゲーション装置内に取得して、取得した文字フォントを使用してディスプレイなどの表示画面に表示される地図内の地名や道路名および代表的な建物や施設などの名称を表示することができる。
【００１０】
また、本発明のナビゲーション装置は、前記入力手段が、前記表示面に表示したい表示言語を選択する表示言語選択手段を有し、前記フォントデータ要求送信手段が、前記表示言語選択手段で選択された表示言語に対応するフォントデータの取得要求を外部のフォントデータ供給手段に送信する構成を有している。
【００１１】
この構成により、使用者が選択した表示言語に対応した文字フォントを外部のフォントデータ供給手段からナビゲーション装置内に取得して、取得した文字フォントを使用してディスプレイなどの表示画面に表示される地図内の地名や道路名および代表的な建物や施設などの名称を表示することができる。
【００１２】
また、本発明のナビゲーション装置は、フォントデータ要求送信手段は、地図表示を行なうのに必要なフォントデータがフォントデータ記憶手段に格納されていない場合に、必要なフォントデータの取得要求を行なう構成を有している。
【００１３】
この構成により、使用頻度の低い文字や新規に追加された文字など特定文字のフォントデータがナビゲーション装置内に格納されていない場合は、特定文字のフォントデータを外部のフォントデータ供給手段からナビゲーション装置内に取得して、取得した文字フォントを使用してディスプレイなどの表示画面に表示される地図内の地名や道路名および代表的な建物や施設などの名称を表示することができる。
【００１４】
さらに、本発明のナビゲーション装置は、現在位置を検出する位置検出手段を備え、表示言語選択手段は位置検出手段で検出した現在位置の情報に基づいて表示言語を選択する構成を有している。
【００１５】
この構成により、ナビゲーション装置を搭載した車両の現在位置が属する国や地域で使用される言語を自動的に選択して、その言語に対応したフォントデータを外部のフォントデータ供給手段からナビゲーション装置内に取得して、取得した文字フォントを使用してディスプレイなどの表示画面に表示される地図内の地名や道路名および代表的な建物や施設などの名称を表示することができる。
【発明の効果】
【００１６】
本発明のナビゲーション装置は、表示面に表示する所望のフォント情報を入力する入力手段と、前記入力手段で入力した前記フォント情報に関するフォントデータの取得要求を外部のフォントデータ供給手段に送信するフォントデータ要求送信手段と、前記外部のフォントデータ供給手段から送信される前記取得要求した前記フォントデータを受信するフォントデータ受信手段と、前記受信したフォントデータを記憶するフォントデータ記憶手段とを備えたことにより、ナビゲーション装置内に多数の文字フォントを格納するための膨大な容量のフォントメモリを必要とせず、装置の小型化および低廉化に貢献できる。
【００１７】
また、ナビゲーション装置内に格納されていない特定文字フォントなども外部のフォントデータ供給手段から入手することにより、ディスプレイなどの表示画面に表示される地図内の地名や道路名および代表的な建物や施設などの名称を選択した言語で表示すること
が可能なナビゲーション装置を提供することができる。
【発明を実施するための最良の形態】
【００１８】
以下、本発明の実施の形態のナビゲーション装置について、図面を用いて説明する。
【００１９】
（実施の形態１）
本発明の第１の実施の形態のナビゲーション装置を図１および図２に示す。
【００２０】
図１は、本発明の実施の形態１におけるナビゲーション装置の機能を示すブロック図である。
【００２１】
図１において、まず本実施の形態のナビゲーション装置は、フォントデータ記憶部８に格納していない表示言語であって、使用したいフォント情報としての表示言語をリモコンやタッチパネルなどにより入力する入力部１と、入力部１で入力された表示言語を選択する表示言語選択部２と、表示言語選択部２で選択した表示言語に対応するフォントデータを外部に対して取得要求を行なうフォントデータ要求送信部３と、フォントデータ要求送信部３からの要求信号を受けて外部のフォントサーバからフォントデータを取得するよう制御する通信制御部４と、外部のフォントサーバとフォントデータの取得要求通信を行なう通信部５とを備えている。
【００２２】
さらに、本実施の形態のナビゲーション装置は、通信部５および通信制御部４を介して外部のフォントサーバから取得したフォントデータの受信処理を行なうフォントデータ受信部６と、取得したフォントデータをフォントデータ記憶部８に保存するための処理を行なうフォントデータ保存部７と、取得したフォントデータを記憶するフォントデータ記憶部８と、フォントデータ記憶部８に記憶されているフォントデータを読み出すフォントデータ読出部９とを備えている。
【００２３】
さらにまた、本実施の形態のナビゲーション装置は、英語用名称データ１０、日本語用名称データ１１、中国語用名称データ１２、韓国語用名称データ１３など複数の名称データを格納している地図情報データベース１４と、表示言語選択部２で選択した表示言語に対応するひとつの名称データを地図情報データベース１４から読み出す地図情報読出部１５と、ＧＰＳアンテナ１７を介して複数のＧＰＳ衛星からの電波を受信するＧＰＳ受信部１８と、方位センサや車速センサや自律航法センサなどからなる自律航法センサ部１９と、ＧＰＳ受信部１８および自立航法センサ部１９からのデータに基づいて現在位置を測位する位置検出部２０とを備えている。
【００２４】
さらにまた、本実施の形態のナビゲーション装置は、フォントデータ読出部９によって読み出されたフォントデータと、地図情報読出部１５で読み出された名称データと、位置検出部２０で検出された現在位置情報に基づいて、読み出されたフォントデータで地図情報を作成する表示情報作成部１６と、表示情報作成部１６で作成されたデータをディスプレイなどの表示部２２に表示するための制御を行なう表示制御部２１とを備えている。
【００２５】
なお、本実施の形態では、ＧＰＳ受信部１８と自律航法センサ部１９の両方を備えているが、いずれか一方だけを備えていても良い。
【００２６】
図２は、本発明の実施の形態１におけるナビゲーション装置との間でフォントデータの通信を行なうフォントサーバの機能を示すブロック図である。
【００２７】
図２において、本実施の形態のフォントサーバは、図１に示すナビゲーション装置との間でデータの送受信を行なう通信部２５と、通信部２５を制御する通信制御部２６と、フ
ォントデータ要求を受信処理するフォントデータ要求受信部２７と、要求されたフォントデータをフォントデータベース２９より読み出すフォントデータ読出部２８と、フォントデータ読出部２８で読み出したフォントデータを通信制御部２６に送るフォントデータ送信部３４とで構成されており、フォントデータベース２９には英語用フォントデータ３０、日本語用フォントデータ３１、中国語用フォントデータ３２、韓国語用フォントデータ３３など言語の異なる複数のフォントデータが格納されている。
【００２８】
以上のように構成されたナビゲーション装置について、図３を用いてその動作を説明する。
【００２９】
図３は本発明の実施の形態１におけるナビゲーション装置のフォントデータ取得の動作を示すフローチャートである。
【００３０】
まず、使用者は希望する表示言語をリモコンやタッチパネルなどの入力部１より入力して表示言語を指定し、表示言語選択部２により表示言語を選択する（Ｓ３０１）。選択された表示言語を取得するためにフォントデータ要求送信部３は、選択された表示言語に対応するフォントデータ取得要求の送信を通信制御部４に指示する（Ｓ３０２）。通信制御部４は、通信部５の通信動作を制御して外部のフォントサーバにフォントデータ要求を送信する（Ｓ３０３）。
【００３１】
次に、外部のフォントサーバは、ナビゲーション装置からのフォントデータ要求を通信部２５を介して通信制御部２６が受信すると（Ｓ３０４）、フォントデータ要求受信部２７にフォントデータ要求を送る（Ｓ３０５）。フォントデータ要求受信部２７はフォントデータ要求を受信すると、フォントデータ読出部２８に、フォントデータベース２９より要求されたフォントデータに対応したフォントデータを読み出すように要求する（Ｓ３０６）。
【００３２】
ここでフォントデータベース２９は英語用フォントデータ３０、日本語用フォントデータ３１、中国語用フォントデータ３２、韓国語用フォントデータ３３など言語の異なる複数のフォントデータを備えており、フォントデータ読出部２８は要求されたフォントデータを読み出す（Ｓ３０７）。
【００３３】
フォントデータ読出部２８は要求されたフォントデータの読み出しが終了すると、要求されたフォントデータの送信をフォントデータ送信部３４に要求し（Ｓ３０８）、フォントデータ送信部３４は通信制御部２６にフォントデータの送信を指示し、通信部２５よりフォントデータ要求のあったナビゲーション装置にフォントデータを送信する（Ｓ３０９）。
【００３４】
次に、ナビゲーション装置側の通信制御部４は、通信部５の通信動作を制御して外部のフォントサーバから要求したフォントデータを受信し（Ｓ３１０）、受信したフォントデータをフォントデータ受信部６に送る。
【００３５】
フォントデータ受信部６は要求したフォントデータを受信すると、フォントデータ保存部７に受信したフォントデータを送り、フォントデータ保存部７はフォントデータ記憶部８にフォントデータを記憶し（Ｓ３１１）、フォントデータ取得の動作を終了する。
【００３６】
次に、ナビゲーション装置の表示部に地図表示を行なう名称データの表示動作について図４を用いて説明する。
【００３７】
図４は、本発明の実施の形態１におけるナビゲーション装置の名称データ表示動作を示
すフローチャートである。
【００３８】
図４において、まず、位置検出部２０は、ＧＰＳ受信部１８と自律航法センサ部１９からのデータに基づいて現在位置を検出し（Ｓ４０１）、検出した現在位置情報に基づいて表示情報作成部１６に位置情報を送る。
【００３９】
表示情報作成部１６は、位置検出部２０から得られた車両の位置情報に基づいて地図情報読出部１５に該当する地図情報の読み出しを要求する（Ｓ４０２）。地図情報読出部１５は、英語用名称データ１０、日本語用名称データ１１、中国語用名称データ１２、韓国語用名称データ１３など複数の名称データを備えている地図情報データベース１４から表示言語選択部２で選択された表示言語に対応する名称データを読み出す（Ｓ４０３）。
【００４０】
次に、表示情報作成部１６は、フォントデータ読出部９に選択されたフォントデータの読み出しを要求し、フォントデータ読出部９はフォントデータ記憶部８に記憶されているフォントデータを読み出す（Ｓ４０４）。
【００４１】
表示情報作成部１６は、フォントデータ読出部９によって読み出されたフォントデータによって、Ｓ４０３で読み出された名称データを地図情報として表示できるように地図の表示情報を作成する（Ｓ４０５）。
【００４２】
表示情報作成部１６は、表示制御部２１に対して表示を要求し、作成した表示情報に基づいて表示制御部２１は表示部２２に、選択した表示言語で表示された地図情報を表示する（Ｓ４０６）。
【００４３】
以上のように、本実施の形態１では、使用者がフォントデータ記憶部８内に格納されていない表示言語を選択し、選択された言語に対応した文字フォントを外部のフォントサーバからナビゲーション装置内に取得して、その文字フォントを使用してディスプレイなどの表示画面に表示される地図内の地名や道路名および代表的な建物や施設などの名称を選択した言語で表示できる。
【００４４】
したがって、ナビゲーション装置内に多数の文字フォントを格納するための膨大な容量のフォントメモリを有する必要はない。
【００４５】
なお、本実施の形態では、フォントデータ記憶部に格納されていない表示言語を選択することについて説明したが、フォントデータ記憶部内に格納されている表示言語を選択しても本発明は適用できる。
【００４６】
また、受信したフォントデータを記憶するフォントデータ記憶部８は、カードメモリのような取り外し可能な記憶手段でも本発明は適用できる。
【００４７】
（実施の形態２）
図５は、本発明の実施の形態２におけるナビゲーション装置の機能を示すブロック図、図６は同実施の形態の動作を示すフローチャートであって、図１、図３と同一の構成要素には同一番号を付し、説明は省略する。
【００４８】
本実施の形態のナビゲーション装置は、図１に示す実施の形態１のナビゲーション装置の構成に加えて、図５に示すように、表示言語選択部２で選択された表示言語で表示しようとした文字のフォントデータがフォントデータ記憶部８に存在するか否かを判定するフォントデータ判定部５１を備えている。
【００４９】
すなわち、本実施の形態では、表示言語選択部２が選択した表示言語で表示しようとした文字のフォントデータがフォントデータ記憶部８に存在するか否かを、図６に示すように、フォントデータ判定部５１でまず判定し（Ｓ６０１）、フォントデータ記憶部８に存在しなかった場合に、外部のフォントデータサーバからフォントデータを取得するようにフォントデータ要求送信部３に指示をする（Ｓ３０２）。
【００５０】
フォントデータ判定部５１での判定の結果、表示言語選択部２が選択した表示言語で表示しようとした文字のフォントデータがフォントデータ記憶部８に存在した場合には、外部のフォントデータサーバからフォントデータを取得せず、図４に示すように、フォントデータ読出部９がフォントデータ記憶部８から読み出したフォントデータによる名称データの表示処理を表示制御部１６が行なう（Ｓ４０５）。
【００５１】
その他の動作に関しては、実施の形態１で説明した動作と同じである。
【００５２】
以上のように、本実施の形態では、フォントデータ記憶部８に、選択された表示言語で表示しようとした文字のフォントデータがない場合に、自動的にフォントデータを外部のフォントサーバから取得でき、ナビゲーション装置のフォント用メモリ容量は少なくてすみ、装置の小型化および低廉化に貢献できる。
【００５３】
（実施の形態３）
図７は、本発明の実施の形態３におけるナビゲーション装置の機能を示すブロック図であって、図５と同一の構成要素には同一番号を付し、説明は省略する。
【００５４】
本実施の形態のナビゲーション装置は、図５に示す実施の形態２のナビゲーション装置の構成に加えて、位置検出部２０から得られた位置情報に基づいて、測位した現在位置の属する国や地域を判定する位置判定部７１を備えている。
【００５５】
すなわち、本実施の形態では、位置判定部７１によって現在位置の属する国や地域を判定し、その判定結果に基づいて、現在位置の属する国や地域の表示言語を表示言語選択部２で選択する。
【００５６】
その他の動作に関しては、実施の形態２で説明した動作と同じである。
【００５７】
以上のように、本実施の形態では、測位した現在位置が属する国や地域で使用される言語と測位した現在位置とが対応付けられるので、入力部１によって各地域や国の希望する表示言語を入力しなくても、フォントデータがフォントデータ記憶部８に存在しない場合に、自動的にその国や地域に対応したフォントデータが取得できる。
【００５８】
また、走行によって言語の異なる国や地域に移動した場合でも、その国や地域で使用される表示言語を自動的に選択し、外部のフォントサーバから自動的にダウンロードできる。
【００５９】
したがって、本実施の形態のナビゲーション装置は、地域や国に対応したフォントデータを備える必要はなく、フォント用メモリ容量は少なくてすみ、装置の小型化および低廉化に貢献できる。
【００６０】
以上のように、これまでの実施の形態では、例えば、英語、日本語、中国語、韓国語、フランス語、ロシア語などと表示言語を切り替えることのできる従来のナビゲーション装置においては、全ての言語に対応した文字フォントを格納するために膨大な容量のフォント用メモリが必要となるが、これまでの本実施の形態のナビゲーション装置は、使用者が
希望する表示言語を選択したり、現在位置の地域や国に対応する表示言語が選択された場合、選択された表示言語に対応した文字フォントを随時外部のフォントサーバからナビゲーション装置内に取得するため、フォント用メモリ容量は少なくてすみ、装置の小型化および低廉化に貢献できる。
【００６１】
また、ディスプレイなどの表示画面に表示される地図内の地名や道路名および代表的な建物や施設などの名称をその国や地域で使用されている言語で表示できるため、地名や道路名および代表的な建物や施設などの名称を表示した道路標識と同じ文字で画面表示されるので運転に不慣れな国や地域においても使用者に安心感をもたらすことができる。
【００６２】
また、広大な面積を有する国や同一国で異民族が同居する国では地域によって使用する言語は異なるが、測位した現在位置が属する国や地域に対応した文字フォントを自動的に外部のフォントサーバからナビゲーション装置内にダウンロードするため、ディスプレイなどの表示画面に表示される地図内の地名や道路名および代表的な建物や施設などの名称をその国や地域で使用されている言語で表示することができる。
【００６３】
また、レンタカーなどを利用して他国の人が言語の異なる国や地域を運転する場合は、使用者の理解できる言語を選択できるため、ディスプレイなどの表示画面に表示される地図内の地名や道路名および代表的な建物や施設などの名称を理解しやすい。
【００６４】
なお、これまでの実施の形態では、各国の言語を表示するフォントデータに関して説明したが、本発明はこれに限らず、１つの国の中で、普段あまり使用されないフォントデータを使用者の要望により外部フォントデータから入手するようにしても、本発明の効果が得られることは言うまでもない。この場合は、入力部から所望のフォントデータの種類をフォント情報として入力したり、表示画面上で所望のフォントデータの種類を選択することにより、フォントデータの取得要求を行なえる。
【００６５】
（実施の形態４）
中国では、文字コード規格が、これまで主流であった約７，５００文字を収録した文字コード規格ＧＢ２３１２−８０（以下、ＧＢ２３１２と表記する）から、約２７，５００文字を収録した新しい文字コード規格ＧＢ１８０３０−２０００（以下、ＧＢ１８０３０と表記する）へ情報社会の発展に伴なって移行しつつある。
【００６６】
新しい文字コード規格ＧＢ１８０３０は従来の文字コード規格ＧＢ２３１２に比して文字数が多く、全ての文字についてのフォントデータをナビゲーション装置内に格納するためには膨大な容量のフォント用メモリが必要となるが、新しい文字コード規格ＧＢ１８０３０には使用頻度が低い文字も多く含まれており、新しい文字コード規格ＧＢ１８０３０の全ての文字フォントをナビゲーション装置内に格納することはフォント用メモリ容量の効率が悪い。
【００６７】
本実施の形態４のナビゲーション装置は、図１〜図４に示す実施の形態１と同じ構成であって、フォントデータ記憶部８に使用頻度の高い従来の文字コード規格ＧＢ２３１２のフォントデータのみを格納しておき、装置内に格納していない使用頻度の低い文字をディスプレイなどの表示部２２に表示する必要が発生したときは、表示に必要な文字のフォントデータを、外部のフォントサーバからナビゲーション装置内のフォントデータ記憶部８にダウンロードし、ダウンロードした文字フォントを使用して地図表示を行う。
【００６８】
また、中国では、国内で使用される全ての文字（漢字）を収録できるように文字コードの規格整備が進められている。現在の文字コード規格が改定されて新しい文字コード規格が制定されて新しい文字が追加された場合、そのフォントデータをナビゲーション装置内
のフォントデータ記憶部８に格納していなければ新しく追加された文字を地図表示することはできないが、装置内に格納していない新しく追加された文字コード規格の文字をディスプレイなどの表示部２２に表示する必要が発生したときは、表示に必要な文字のフォントデータを、外部のフォントサーバからナビゲーション装置内のフォントデータ記憶部８にダウンロードし、ダウンロードした文字フォントを使用して地図表示を行う。
【００６９】
以上のように構成されたナビゲーション装置は、新しい文字コード規格ＧＢ１８０３０に含まれている使用頻度の低い文字コードおよび新しく文字コード規格に追加された文字などの特定文字をナビゲーション装置内に格納しないため、膨大な容量のフォント用メモリは必要なくなる。
【００７０】
またナビゲーション装置内に格納していない使用頻度の低い文字や新規に追加された文字などの特定文字は、外部のフォントサーバからナビゲーション装置内にダウンロードして、ダウンロードした文字フォントを使用するため、ナビゲーション装置内に格納していない文字フォントもディスプレイなどの表示画面に地図表示することが可能となる。
【産業上の利用可能性】
【００７１】
以上のように、本発明にかかるナビゲーション装置は、ディスプレイなどの表示画面に地図表示を行なう際に、使用者の希望に応じて、または車両の現在位置が属する国や地域を自動的に判定して、その国や地域で使用される言語に対応したフォントデータを外部より取得し、ディスプレイなどの表示画面に地図表示を行なえるという効果を有し、特に多言語の地域を走行するナビゲーション装置などに有用である。
【図面の簡単な説明】
【００７２】
【図１】本発明の実施の形態１におけるナビゲーション装置の機能を示すブロック図
【図２】本発明の実施の形態１におけるナビゲーション装置と通信を行なうフォントサーバの機能を示すブロック図
【図３】本発明の実施の形態１におけるナビゲーション装置のフォントデータ取得の動作を示すフローチャート
【図４】本発明の実施の形態１におけるナビゲーション装置の名称データ表示処理を示すフローチャート
【図５】本発明の実施の形態２におけるナビゲーション装置の機能を示すブロック図
【図６】本発明の実施の形態２におけるナビゲーション装置のフォントデータ取得の動作を示すフローチャート
【図７】本発明の実施の形態３におけるナビゲーション装置の機能を示すブロック図
【符号の説明】
【００７３】
１  入力部
２  表示言語選択部
３  フォントデータ要求送信部
４  通信制御部
５  通信部
６  フォントデータ受信部
７  フォントデータ保存部
８  フォントデータ記憶部
９  フォントデータ読出部
１０  英語用名称データ
１１  日本語用名称データ
１２  中国語用名称データ
１３  韓国語用名称データ
１４  地図情報データベース
１５  地図情報読出部
１６  表示情報作成部
１７  ＧＰＳアンテナ
１８  ＧＰＳ受信部
１９  自立航法センサ部
２０  位置検出部
２１  表示制御部
２２  表示部
２５  通信部
２６  通信制御部
２７  フォントデータ要求受信部
２８  フォントデータ読出部
２９  フォントデータベース
３０  英語用フォントデータ
３１  日本語用フォントデータ
３２  中国語用フォントデータ
３３  韓国語用フォントデータ
３４  フォントデータ送信部
５１  フォントデータ判定部
７１  位置判定部
【図１】
2006058347.tif 000003
【図２】
2006058347.tif 000004
【図３】
2006058347.tif 000005
【図４】
2006058347.tif 000006
【図５】
2006058347.tif 000007
【図６】
2006058347.tif 000008
【図７】
2006058347.tif 000009